(57)【特許請求の範囲】
【請求項１】
ネットワークに接続し、そのネットワーク上で電子メールを用いて画情報をやりとりするＴ．３７通信機能と、ネットワークを介し、リアルタイムに画情報をやりとりするＴ．３８通信機能と、ファクシミリ画情報の作成、蓄積、および、記録出力などのファクシミリ装置機能を備えたネットワークファクシミリ装置において、
それぞれの宛先について、上記Ｔ．３７通信機能で使用する第１の宛先情報と、上記Ｔ．３８通信機能で使用する第２の宛先情報を登録した宛先情報テーブルを備え、
電子メールを用いて情報を送信する際、電子メールのヘッダに、自端末が上記Ｔ．３８通信機能で使用する宛先情報を通知するための所定の拡張フィールドを付加する一方、
電子メール受信時、その受信した電子メールのヘッダに、上記拡張フィールドが付加されており、かつ、その受信した電子メールが画情報を運ぶものであるときには、自端末が上記Ｔ．３８通信機能で使用する宛先情報を通知する通知用電子メールを作成し、その通知用電子メールを上記受信した電子メールの送信元へ送信し、上記受信した電子メールのヘッダに、上記拡張フィールドが付加されており、かつ、上記受信した電子メールが画情報を運ぶものではない場合、上記拡張フィールドに含まれている宛先情報を、上記受信した電子メールの送信元の前記第２の宛先情報として、上記宛先情報テーブルに記憶することを特徴とするネットワークファクシミリ装置。
【請求項２】
ネットワークに接続し、そのネットワーク上で電子メールを用いて画情報をやりとりするＴ．３７通信機能と、ネットワークを介し、リアルタイムに画情報をやりとりするＴ．３８通信機能と、ファクシミリ画情報の作成、蓄積、および、記録出力などのファクシミリ装置機能を備えたネットワークファクシミリ装置において、
それぞれの宛先について、上記Ｔ．３７通信機能で使用する第１の宛先情報と、上記Ｔ．３８通信機能で使用する第２の宛先情報を登録した宛先情報テーブルを備え、
電子メールを用いて情報を送信する際、電子メールのヘッダに、自端末が上記Ｔ．３８通信機能で使用する宛先情報を通知するための所定の拡張フィールドを付加する一方、
電子メール受信時、その受信した電子メールのヘッダに、上記拡張フィールドが付加されており、かつ、その受信した電子メールが画情報を運ぶものであるときには、その画情報の受信原稿を記録出力するとともに、自端末が上記Ｔ．３８通信機能で使用する宛先情報を通知する通知用電子メールを作成し、その通知用電子メールを上記受信した電子メールの送信元へ送信し、上記受信した電子メールのヘッダに、上記拡張フィールドが付加されており、かつ、上記受信した電子メールが画情報を運ぶものではない場合、その受信した電子メールの本文情報を記録出力しないとともに、上記拡張フィールドに含まれている宛先情報を、上記受信した電子メールの送信元の前記第２の宛先情報として、上記宛先情報テーブルに記憶することを特徴とするネットワークファクシミリ装置。
【請求項３】
前記電子メールを用いて送信する情報には、送達確認要求された際に送信する送達確認情報を含むことを特徴とする請求項１または請求項２記載のネットワークファクシミリ装置。
【発明の詳細な説明】
【０００１】
【発明の属する技術分野】
本発明は、ネットワークに接続し、そのネットワーク上で電子メールを用いて画情報をやりとりするＴ．３７通信機能と、ネットワークを介し、リアルタイムに画情報をやりとりするＴ．３８通信機能と、ファクシミリ画情報の作成、蓄積、および、記録出力などのファクシミリ装置機能を備えたネットワークファクシミリ装置に関する。
【０００２】
【従来の技術】
近年、インターネットなどのネットワークに接続し、このネットワーク上を介して画情報を通信することのできるネットワークファクシミリ装置が実用されるようになってきている。
【０００３】
また、このネットワークファクシミリ装置の通信方法としては、電子メールを用いて画情報を通信するＩＴＵ−Ｔ勧告Ｔ．３７に準拠したＴ．３７通信方法と、インターネットを介して相手端末と直接セッションを張り、リアルタイム的に画情報を通信するＩＴＵ−Ｔ勧告Ｔ．３８に準拠したＴ．３８通信方法の２つがある。
【０００４】
【発明が解決しようとする課題】
Ｔ．３７通信方法を用いる場合、この場合には、電子メールを通信手段として用いるため、比較的実現が容易であり、初期の段階から使用されている。また、インターネット上でやりとりする電子メールを用いて、ファクシミリ画情報を通信する電子メール型インターネットファクシミリ通信システムについては、ＩＥＴＦ（Ｉｎｔｅｒｎｅｔ  Ｅｎｇｉｎｅｅｒｉｎｇ  Ｔａｓｋ  Ｆｏｒｃｅ）というインターネットに関する技術内容をまとめている組織から発行されているＲＦＣ（Ｒｅｑｕｅｓｔ  Ｆｏｒ  Ｃｏｍｍｅｎｔｓ）２３０１〜２３０６により、その技術内容が規定されている。
【０００５】
また、勧告Ｔ．３７とＲＦＣ２３０５（シンプルモード・ファクシミリ）では、使用する電子メールの形式などが共通化されており、勧告Ｔ．３７に従うネットワークファクシミリ装置と、ＲＦＣ２３０５に準拠したソフトウェアを実装したワークステーション装置、パーソナルコンピュータ装置、あるいは、ネットワークファクシミリ装置との間で、相互にファクシミリ画情報をやりとりすることができる。
【０００６】
ところで、このＴ．３７通信方法では、送信側ネットワークファクシミリ装置と受信側ネットワークファクシミリ装置が直接通信するわけではないので、ネットワークファクシミリ装置相互間における通信能力の確認が即時的に行えず、そのために、ネットワークファクシミリ装置の種々の機能（例えば、解像度、画像処理能力など）を利用した画情報通信を行えないという事態を生じる。また、通信結果の通知も即時的に行えないので、送信側ユーザに通信結果が通知されるまで時間がかかり、再送信などの必要性が生じた場合の対処が遅れるという事態も生じる。
【０００７】
そこで、送信側ネットワークファクシミリ装置と受信側ネットワークファクシミリ装置とでＴ．３８通信方法の通信機能を備えている場合には、Ｔ．３８通信方法を適用することで、上述したような不具合を解消することができるが、おのおののネットワークファクシミリ装置がＴ．３８通信方法を必ず適用できるとは限らない。
【０００８】
そのため、ネットワークファクシミリ装置の相互間で画情報通信を行う場合には、送信側ネットワークファクシミリ装置のユーザは、受信側ネットワークファクシミリ装置の通信機能を適切に知る必要があり、そのための情報収集などに負担がかかるという不具合を生じるおそれがある。
【０００９】
本発明は、かかる実情に鑑みてなされたものであり、通信機能情報の収集を自動的に行うことができるネットワークファクシミリ装置を提供することを目的としている。
【００１０】
【課題を解決するための手段】
本発明は、ネットワークに接続し、そのネットワーク上で電子メールを用いて画情報をやりとりするＴ．３７通信機能と、ネットワークを介し、リアルタイムに画情報をやりとりするＴ．３８通信機能と、ファクシミリ画情報の作成、蓄積、および、記録出力などのファクシミリ装置機能を備えたネットワークファクシミリ装置において、それぞれの宛先について、上記Ｔ．３７通信機能で使用する第１の宛先情報と、上記Ｔ．３８通信機能で使用する第２の宛先情報を登録した宛先情報テーブルを備え、電子メールを用いて情報を送信する際、電子メールのヘッダに、自端末が上記Ｔ．３８通信機能で使用する宛先情報を通知するための所定の拡張フィールドを付加する一方、電子メール受信時、その受信した電子メールのヘッダに、上記拡張フィールドが付加されており、かつ、その受信した電子メールが画情報を運ぶものであるときには、自端末が上記Ｔ．３８通信機能で使用する宛先情報を通知する通知用電子メールを作成し、その通知用電子メールを上記受信した電子メールの送信元へ送信し、上記受信した電子メールのヘッダに、上記拡張フィールドが付加されており、かつ、上記受信した電子メールが画情報を運ぶものではない場合、上記拡張フィールドに含まれている宛先情報を、上記受信した電子メールの送信元の前記第２の宛先情報として、上記宛先情報テーブルに記憶するようにしたものである。
【００１２】
また、ネットワークに接続し、そのネットワーク上で電子メールを用いて画情報をやりとりするＴ．３７通信機能と、ネットワークを介し、リアルタイムに画情報をやりとりするＴ．３８通信機能と、ファクシミリ画情報の作成、蓄積、および、記録出力などのファクシミリ装置機能を備えたネットワークファクシミリ装置において、それぞれの宛先について、上記Ｔ．３７通信機能で使用する第１の宛先情報と、上記Ｔ．３８通信機能で使用する第２の宛先情報を登録した宛先情報テーブルを備え、電子メールを用いて情報を送信する際、電子メールのヘッダに、自端末が上記Ｔ．３８通信機能で使用する宛先情報を通知するための所定の拡張フィールドを付加する一方、電子メール受信時、その受信した電子メールのヘッダに、上記拡張フィールドが付加されており、かつ、その受信した電子メールが画情報を運ぶものであるときには、その画情報の受信原稿を記録出力するとともに、自端末が上記Ｔ．３８通信機能で使用する宛先情報を通知する通知用電子メールを作成し、その通知用電子メールを上記受信した電子メールの送信元へ送信し、上記受信した電子メールのヘッダに、上記拡張フィールドが付加されており、かつ、上記受信した電子メールが画情報を運ぶものではない場合、その受信した電子メールの本文情報を記録出力しないとともに、上記拡張フィールドに含まれている宛先情報を、上記受信した電子メールの送信元の前記第２の宛先情報として、上記宛先情報テーブルに記憶するようにしたものである。
【００１３】
また、前記電子メールを用いて送信する情報には、送達確認要求された際に送信する送達確認情報を含む。
【００１４】
【発明の実施の形態】
以下、添付図面を参照しながら、本発明の実施の形態を詳細に説明する。
【００１５】
図１は、本発明の一実施例にかかるネットワークシステムを示している。
【００１６】
同図において、ローカルエリアネットワークＬＡＮには、複数のワークステーション装置ＷＳ１〜ＷＳｎ、メールサーバ装置ＳＭ、および、ネットワークファクシミリ装置ＦＸが接続されているとともに、ルータ装置ＲＴを介してインターネットへ接続されている。したがって、ワークステーション装置ＷＳ１〜ＷＳｎ、メールサーバ装置ＳＭ、および、ネットワークファクシミリ装置ＦＸは、インターネットを介し、他の適宜な端末装置との間でデータをやりとりすることができる。
【００１７】
ここで、メールサーバ装置ＳＭは、ローカルエリアネットワークＬＡＮに接続されているワークステーション装置ＷＳ１〜ＷＳｎを利用するユーザ、および、ネットワークネットワークファクシミリ装置ＦＸに対して、周知の電子メールの収集および配布のサービスを提供するものである。
【００１８】
また、ローカルエリアネットワークＬＡＮは、ルータ装置ＲＴを介して、インターネットへと接続され、それにより、ワークステーション装置ＷＳ１〜ＷＳｎ、メールサーバ装置ＳＭ、および、ネットワークファクシミリ装置ＦＸは、他のローカルエリアネットワーク等に接続されているホスト装置等との間で種々のデータのやりとりが可能である。
【００１９】
また、ワークステーション装置ＷＳ１〜ＷＳｎには、ファクシミリ画情報を作成および表示出力するファクシミリアプリケーションソフトウェア、および、ローカルエリアネットワークＬＡＮを介して種々のデータのやりとりを行うための種々のソフトウェアなどの種々のプログラムが導入されており、特定のユーザにより使用されるものである。ここで、特定のユーザは、一人または複数人のユーザであってよい。
【００２０】
また、ネットワークファクシミリ装置ＦＸは、画情報や各種レポートなどを電子メールとしてやりとりするための電子メール処理機能、電子メールを用い、ＩＴＵ−Ｔ勧告Ｔ．３７に準拠した画情報通信を行うためのＴ．３７通信機能、インターネットを介して、相手端末との間でＩＴＵ−Ｔ勧告Ｔ．３８に準拠した画情報通信を行うためのＴ．３８通信機能、勧告Ｔ．３８に準拠したゲートウェイ処理を実行するためのリアルタイムファクシミリゲートウェイ機能、および、アナログ公衆網ＰＳＴＮ（もしくは、一般電話回線網ＧＳＴＮ）に接続し、このアナログ公衆網ＰＳＴＮを伝送路として用いてグループ３ファクシミリ伝送手順による画情報伝送を行う伝送機能を備えている。
【００２１】
図２は、ネットワークファクシミリ装置ＦＸの構成例を示している。
【００２２】
同図において、システム制御部１は、このネットワークファクシミリ装置ＦＸの各部の制御処理、および、ファクシミリ伝送制御手順処理などの各種制御処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このネットワークファクシミリ装置ＦＸに固有な各種の情報を記憶するためのものであり、時計回路４は、現在時刻情報を出力するものである。
【００２３】
スキャナ５は、所定の解像度で原稿画像を読み取るためのものであり、プロッタ６は、所定の解像度で画像を記録出力するためのものであり、操作表示部７は、このネットワークファクシミリ装置ＦＸを操作するためのもので、各種の操作キー、および、各種の表示器からなる。
【００２４】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００２５】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００２６】
網制御装置１１は、このネットワークファクシミリ装置ＦＸをアナログ公衆網ＰＳＴＮに接続するためのものであり、自動発着信機能を備えている。
【００２７】
ローカルエリアネットワークインターフェース回路１２は、このネットワークファクシミリ装置ＦＸをローカルエリアネットワークＬＡＮに接続するためのものであり、ローカルエリアネットワーク伝送制御部１３は、ローカルエリアネットワークＬＡＮを介して、他のデータ端末装置との間で種々のデータをやりとりするための各種所定のプロトコルスイートの通信制御処理を実行するためのものである。
【００２８】
Ｔ．３８伝送制御部１４は、ＩＴＵ−Ｔ勧告Ｔ．３８に準拠したリアルタイム通信機能（Ｔ．３８通信機能）、および、リアルタイムファクシミリゲートウェイ機能を実現するためのものである。
【００２９】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、網制御装置１１、ローカルエリアネットワーク伝送制御部１３、および、Ｔ．３８伝送制御部１４は、内部バス１５に接続されており、これらの各要素間でのデータのやりとりは、主としてこの内部バス１５を介して行われている。
【００３０】
また、網制御装置１１とグループ３ファクシミリモデム１０との間のデータのやりとりは、直接行なわれている。
【００３１】
ここで、本実施例において、基本的には、ローカルエリアネットワークＬＡＮに接続されている端末相互間でのデータのやりとりは、いわゆるＴＣＰ／ＩＰと呼ばれるトランスポートレイヤまでの伝送プロトコルと、それ以上の上位レイヤの通信プロトコルとの組み合わせ（いわゆるプロトコルスイート）が適用して行われる。例えば、電子メールのデータのやりとりでは上位レイヤの通信プロトコルとしてＳＭＴＰ（Ｓｉｍｐｌｅ  Ｍａｉｌ  Ｔｒａｎｓｆｅｒ  Ｐｒｏｔｏｃｏｌ）という通信プロトコルが適用される。
【００３２】
また、各端末がメールサーバ装置ＳＭに対して、ユーザ宛の電子メールの受信確認や取得要求などのために適用するプロトコルとしては、いわゆるＰＯＰ（Ｐｏｓｔ  Ｏｆｆｉｃｅ  Ｐｒｏｔｏｃｏｌ）などを適用することができる。
【００３３】
また、ＴＣＰ／ＩＰ，ＳＭＴＰ，ＰＯＰなどの通信プロトコル、および、電子メールのデータ形式やデータ構造などについては、それぞれＩＥＴＦから発行されているＲＦＣ文書により規定されている。例えば、ＴＣＰはＲＦＣ７９３、ＩＰはＲＦＣ７９３、ＳＭＴＰはＲＦＣ８２１、電子メールの形式は、ＲＦＣ８２２，ＲＦＣ１５２１，ＲＦＣ１５２２（ＭＩＭＥ（Ｍｕｌｔｉ  ＰｕｒｐｏｓｅＭａｉｌ  Ｅｘｔｅｎｓｉｏｎ）形式）などでそれぞれ規定されている。
【００３４】
そして、ネットワークファクシミリ装置ＦＸは、読み取った原稿画像をアナログ公衆網ＰＳＴＮを介して他のグループ３ファクシミリ装置へ、または、Ｔ．３８通信機能を適用し、ローカルエリアネットワークＬＡＮ（さらには、インターネット）を介してワークステーション装置ＷＳ１〜ＷＳｎのユーザや他のネットワークファクシミリ装置ＦＸへリアルタイム的に送信したり、Ｔ．３７通信機能を適用し、ローカルエリアネットワークＬＡＮ（さらには、インターネット）を介してワークステーション装置ＷＳ１〜ＷＳｎのユーザや他のネットワークファクシミリ装置ＦＸへ電子メールを用いて送信するとともに、アナログ公衆網ＰＳＴＮを介して他のグループ３ファクシミリ装置より受信した画情報を、そのときに指定されたサブアドレスに対応したユーザに対して、電子メールを用いて転送したり、あるいは、ローカルエリアネットワークＬＡＮのワークステーションＷＳより（電子メールで）受信した画情報を、指定されたアナログ公衆網ＰＳＴＮのグループ３ファクシミリ装置へ転送する転送サービス機能等を備えている。
【００３５】
また、自端末宛に受信した電子メールについては、本文情報に配置される画情報を取り出して、記録出力するようにしている。
【００３６】
また、リアルタイムファクシミリゲートウェイ機能は、アナログ公衆網ＰＳＴＮに接続される２つのグループ３ファクシミリ装置の通信を、インターネットを介して中継転送する機能であり、発呼側のグループ３ファクシミリ装置から呼び出されるローカル側ゲートウェイ機能と、このローカル側ゲートウェイ機能（装置）から呼び出され、最終宛先へ発呼して画情報を中継転送するリモート側ゲートウェイ機能の２つからなり、ローカル側ゲートウェイ機能とリモート側ゲートウェイ機能の通信は、ＩＴＵ−Ｔ勧告Ｔ．３８に準拠したリアルタイム通信が行われる。
【００３７】
ここに、ファクシミリ画情報はバイナリデータであり、電子メールには、直接バイナリデータを含ませることができないので、所定の変換方法（例えば、Ｂａｓｅ６４符号化方法）を適用して可読情報（７ビットのキャラクタコード）に変換した状態で、電子メールに含められる。このような電子メールの本文情報の形式をＭＩＭＥ形式という。
【００３８】
このように、ファクシミリ画情報を送信する際に用いられる電子メールの一例を図３に示す。
【００３９】
この電子メールは、複数の本文パートを持つマルチパートＭＩＭＥ形式の電子メールであり、電子メールの送信日付（「Ｄａｔｅ」フィールド）、宛先メールアドレス（「Ｔｏ」フィールド）、送信元メールアドレス（「Ｆｒｏｍ」フィールド）などの所定の情報からなるメールヘッダ部、テキストデータを運ぶためのテキストパート部、および、ファクシミリ画情報を運ぶためのバイナリパート部からなり、バイナリパート部には、ファクシミリ画情報をＭＩＭＥ変換して得たＭＩＭＥエンコードデータが配置される。
【００４０】
また、電子メールで運ばれるファクシミリ画情報は、元の画像データをＭＨ符号化で圧縮し、それをＴＩＦＦ−Ｆフォーマットへ変換したものであり、したがって、ＭＩＭＥエンコードデータとしては、このＴＩＦＦ−ＦデータをＭＩＭＥ変換したものが配置される。
【００４１】
ここで、ＴＩＦＦ−Ｆフォーマットでは、複数ページの画像データを１つのファイルとしてまとめることができるので、１つのバイナリパート部に、複数ページからなる１つの送信画情報ファイルのデータを配置することができる。
【００４２】
また、本実施例では、宛先の指定を１つのキー操作で、あるいは、より少ないキー操作で実現できるように、ワンタッチダイアル機能および短縮ダイアル機能を備えている。
【００４３】
ワンタッチダイアル機能のおのおののワンタッチ番号には、図４（ａ）に示すようなワンタッチダイアル情報が作成されて保存され、短縮ダイアル機能のおのおのの短縮番号には、同図（ｂ）に示すような短縮ダイアル情報が作成されて保存される。
【００４４】
このワンタッチダイアル情報において、ワンタッチダイアル番号は、このワンタッチダイアル情報が記憶する対象のワンタッチダイアル番号であり、電話番号は、宛先へアナログ公衆網ＰＳＴＮを用いて発呼する際に参照されるものであり、メールアドレスは、宛先へ電子メールを用いて（すなわち、Ｔ．３７通信機能を用いて）画情報を送信する際に参照されるものであり、ＩＰアドレスおよびホスト名は、宛先へＴ．３８通信機能を用いて画情報を送信する際に参照されるものである。
【００４５】
さて、本実施例では、ネットワークファクシミリ装置ＦＸは、Ｔ．３７通信機能とＴ．３８通信機能を備えている。Ｔ．３７通信機能を適用した場合には、標準的な解像度、符号化方式および用紙サイズを適用するため、送信ユーザが希望する送信画像をそのままの形態で送ることができないという事態を生じることがある。
【００４６】
一方、Ｔ．３８通信機能を適用した場合、ＩＴＵ−Ｔ勧告Ｔ．３０と同様な伝送手順が実行され、相手端末の端末機能などを確認した後に、画情報を送信することになるので、送信ユーザが希望する送信画像をそのままの形態で送信することが可能となる。
【００４７】
そこで、本実施例では、ワンタッチダイアル機能または短縮ダイアル機能が用いられて宛先が選択されて、ネットワーク通信が指定された場合には、ワンタッチダイアル情報または短縮ダイアル情報を参照し、ＩＰアドレスとホスト名に情報が記憶されている場合には、宛先のネットワークファクシミリ装置にＴ．３８通信機能があると判定し、その宛先については、Ｔ．３８通信機能を適用したファクシミリ通信を実行する。
【００４８】
すなわち、Ｔ．３８通信機能が、Ｔ．３７通信機能に優先して使用される。
【００４９】
ところで、あるネットワークファクシミリ装置ＦＸが、他のネットワークファクシミリ装置ＦＸを宛先として選択したとき、宛先として選択されたネットワークファクシミリ装置ＦＸがＴ．３８通信機能を備えていることを知らなければ、Ｔ．３７通信機能が選択され、電子メールを用いて画情報を送信してくるであろう。
【００５０】
すなわち、相手端末がＴ．３８通信機能を備えていることを知らなくても、相手端末のメールアドレスさえ判明していれば、ネットワークファクシミリ装置ＦＸは、インターネットを利用した画情報送信が可能となるので、Ｔ．３７通信機能を利用して、電子メールを用いて画情報送信を行うことが予想される。
【００５１】
そこで、ネットワークファクシミリ装置ＦＸがＴ．３７通信機能を利用して、電子メールを用いて画情報送信を行う際、図５に示すように、自端末のＴ．３８通信機能に関する情報を通知するための拡張フィールド「Ｘ−ＦａｘＣａｐａｂｉｌｉｔｉｅｓ」を定義する。なお、この拡張フィールド「Ｘ−ＦａｘＣａｐａｂｉｌｉｔｉｅｓ」は、このネットワークファクシミリ装置ＦＸが送信する全ての電子メールのヘッダ情報に含めるようにする。
【００５２】
これにより、画情報を運ぶ電子メールを受信したネットワークファクシミリ装置ＦＸは、この拡張フィールド「Ｘ−ＦａｘＣａｐａｂｉｌｉｔｉｅｓ」の有無を確認することで、送信側がＴ．３８通信機能を備えているかどうかを確認することができる。
【００５３】
ここで、拡張フィールド「Ｘ−ＦａｘＣａｐａｂｉｌｉｔｉｅｓ」にセットされる文字列「Ｔ．３８」は、Ｔ．３８通信機能を備えている旨を表示するものであり、「ａｄｄ＝”１９２．１６８．１０．１０”」は、ＩＰアドレスの値を通知するものであり、「”」でくくられた４つの数字の組が具体的なＩＰアドレスを示す。また、「ｈｏｓｔｎａｍｅ＝”ｉｃｆａｘ．ａｂｃ．ｃｏ．ｊｐ”」は、ホスト名を通知するものであり、「”」でくくられた文字列が具体的なホスト名を示す。なお、ＩＰアドレスの値は一例であり、また、そのフォーマットも一例である。
【００５４】
また、画情報を運ぶ電子メールを受信した際、そのヘッダ情報を調べて、拡張フィールド「Ｘ−ＦａｘＣａｐａｂｉｌｉｔｉｅｓ」が含まれている場合、相手端末は、自端末と同じ機能を備え、Ｔ．３８通信機能についての情報を通知してきたが、自端末側のＴ．３８通信機能についての情報は登録されていないと判断することができる。
【００５５】
そこで、このような場合、図６に示すように、自端末側のＴ．３８通信機能についての情報を通知する電子メール（通知用電子メール）を作成し、画情報の送信元のメールアドレスへと送信する。ここで、上述したように、ネットワークファクシミリ装置ＦＸが送信する全ての電子メールには、拡張フィールド「Ｘ−ＦａｘＣａｐａｂｉｌｉｔｉｅｓ」が含められるので、この通知用電子メールにも拡張フィールド「Ｘ−ＦａｘＣａｐａｂｉｌｉｔｉｅｓ」が含まれる。また、本文情報には、自端末がＴ．３８通信機能を備えている旨の案内の文章と、ＩＰアドレスおよびホスト名の通知情報が含まれる。
【００５６】
また、この通知用電子メールを受信した場合、その拡張フィールド「Ｘ−ＦａｘＣａｐａｂｉｌｉｔｉｅｓ」の値を参照して、ＩＰアドレスとホスト名を取得することができるので、その通知用電子メールの送信元メールアドレスと同じメールアドレスが登録されているワンタッチダイアル情報または短縮ダイアル情報に、取得したＩＰアドレスとホスト名を新たに格納することで、次の通信から、その宛先については、Ｔ．３８通信機能を適用することができる。なお、ワンタッチダイアル情報または短縮ダイアル情報へのＩＰアドレスとホスト名の格納は、ユーザが手操作により行うことができる。
【００５７】
また、この場合には、相手端末がＴ．３８通信機能を備えていることが判明しているので、上述した通知用電子メールの本文情報の内容のように自端末がＴ．３８通信機能を備えている旨を通知する送信文書を作成し、その通知されたＩＰアドレスおよびホスト名を適用したＴ．３８通信を実行し、その宛先に対して、作成した送信文書の画情報を送信するようにすることもできる。
【００５８】
ここで、Ｔ．３８通信における伝送前手順（説明略）においては、ＩＴＵ−Ｔ勧告Ｔ．３０伝送手順と同様に、発端末と着端末との相互間で通信機能などの情報を交換するので、ＩＰアドレスとホスト名も通信機能情報に含めるようにすることで、ネットワークファクシミリ装置ＦＸは、相手端末のＩＰアドレスとホスト名を取得することができる。そして、ワンタッチダイアル情報または短縮ダイアル情報に、取得したＩＰアドレスとホスト名を新たに格納することで、次の通信から、その宛先については、Ｔ．３８通信機能を適用することができる。なお、ワンタッチダイアル情報または短縮ダイアル情報へのＩＰアドレスとホスト名の格納は、ユーザが手操作により行うことができる。
【００５９】
ところで、インターネット電子メールシステムにおいては、送信した電子メールが相手ユーザで処理されたことを確認することができる仕組みとして、ＭＤＮ（Ｍｅｓｓａｇｅ  Ｄｉｓｐｏｓｉｔｏｉｎ  Ｎｏｔｉｆｉｃａｔｉｏｎ；ＲＦＣ２２９８参照）が規定されている。
【００６０】
このＭＤＮによる配達確認要求がされた電子メールを受信すると、ネットワークファクシミリ装置ＦＸは、その電子メールで運ばれる画情報の受信原稿を記録出力するとともに、ＭＤＮに対応した受領確認メールを作成し、指定された送付先（複数可）へ送信する。
【００６１】
そして、本実施例では、この受領確認メールについても、そのヘッダ情報に拡張フィールド「Ｘ−ＦａｘＣａｐａｂｉｌｉｔｉｅｓ」を含めて送信する。
【００６２】
このようにして、本実施例では、電子メールに拡張フィールド「Ｘ−ＦａｘＣａｐａｂｉｌｉｔｉｅｓ」を配置して送信するので、その電子メールを受信したネットワークファクシミリ装置は、相手端末がＴ．３８通信機能を備えていることを明確に知ることができ、その結果、次の通信からはＴ．３８通信機能を利用した通信を行うことができ、送信ユーザの意図に従った画情報送信を実現することができる。
【００６３】
また、拡張フィールド「Ｘ−ＦａｘＣａｐａｂｉｌｉｔｉｅｓ」で通知されたＴ．３８通信機能に関する情報をワンタッチダイアル情報や短縮ダイアル情報に登録することで、ユーザが宛先を指定するのみで、Ｔ．３８通信機能を適用したファクシミリ通信を実行することができ、ユーザの負担を軽減することができる。
【００６４】
また、自端末がＴ．３８通信機能を備えている旨を通知する送信文書を作成し、その通知されたＩＰアドレスおよびホスト名を適用したＴ．３８通信を実行し、その宛先に対して、作成した送信文書の画情報を送信するので、相手端末へ自端末のＩＰアドレスおよびホスト名を通知することができ、その結果、次の通信からはＴ．３８通信機能を利用した通信を行うことができ、送信ユーザの意図に従った画情報送信を実現することができる。
【００６５】
図７は、ネットワークファクシミリ装置ＦＸがＴ．３７通信機能を利用して画情報送信するときの処理の一例を示している。
【００６６】
ネットワークファクシミリ装置ＦＸは、スキャナ５に送信原稿がセットされ、判断１０１の結果がＹＥＳになると、ユーザに対して、宛先のメールアドレスを入力させ（処理１０２）、ユーザがスタートキー（図示略）を押して、送信開始を指令するまで待つ（判断１０３のＮＯループ）。
【００６７】
ユーザがスタートキーを押し、判断１０３の結果がＹＥＳになると、スキャナ５にセットされている送信原稿の読み取りを行い（処理１０４）、それによって得た画像データを、蓄積用の符号化方式を適用して符号化複号化部８で符号化圧縮して画像蓄積装置９へ蓄積する（処理１０５）。
【００６８】
次いで、上述したような電子メールのヘッダ情報の必要なフィールド（拡張フィールド「Ｘ−ＦａｘＣａｐａｂｉｌｉｔｉｅｓ」を含む）の値に、それぞれ適宜な情報をセットして、ヘッダ情報を作成し（処理１０６）、蓄積した画情報をＴＩＦＦ−Ｆフォーマットの画像データへ変換し（処理１０７）、そのＴＩＦＦ−Ｆフォーマットの画像データをＭＩＭＥ変換して、本文情報を作成する（処理１０８）。
【００６９】
次いで、メールサーバ装置ＳＭのＳＭＴＰサーバへ接続し（処理１０９）、処理１０６で作成したヘッダ情報と、処理１０８で作成したＭＩＭＥデータからなる電子メールをＳＭＴＰサーバへ送信する（処理１１０）。電子メールの送信を終了すると、ＳＭＴＰサーバとの接続を終了して（処理１１１）、この処理を終了する。
【００７０】
図８および図９は、ネットワークファクシミリ装置ＦＸが電子メール受信時に実行する処理の一例を示している。
【００７１】
まず、メールサーバ装置ＳＭのＰＯＰサーバへ接続し（処理２０１）、自端末宛の未読メールが受信されているかどうかを問い合わせる（処理２０２）。未読メールが受信されていない場合で、判断２０３の結果がＮＯになるときには、ＰＯＰサーバとの接続を終了し（処理２０４）、所定の電子メール受信間隔時間を待ったのちに（処理２０５）、処理２０１へ戻り、次の電子メール受信動作を行う。
【００７２】
また、未読メールが受信されている場合で、判断２０３の結果がＹＥＳになるときには、未読メールを全部受信して取得し（処理２０６）、ＰＯＰサーバとの接続を終了する（処理２０７）。
【００７３】
次いで、受信した未読メールを１つ選択し（処理２０８）、そのヘッダ情報を解析して（処理２０９）、拡張フィールド「Ｘ−ＦａｘＣａｐａｂｉｌｉｔｉｅｓ」が含まれているかどうかを調べる（判断２１０）。
【００７４】
判断２１０の結果がＹＥＳになるときには、相手端末が自端末と同じ機能を備えている場合である。したがって、本文情報を解析して（処理２１１）、選択した未読メールの本文情報から画情報を取り出して、元の画像データを作成し（処理２１２）、その画像データをプロッタ６へ転送して、受信原稿を記録出力する（処理２１３）。
【００７５】
次いで、自端末のＴ．３８通信機能を相手端末へ通知するための機能通知処理を起動して（処理２１４）、そのときの送信元メールアドレスが、いずれかのワンタッチダイアル情報または短縮ダイアル情報に登録されているかどうかを検索して調べる（処理２１５，判断２１６）。
【００７６】
登録されている場合で、判断２１６の結果がＹＥＳになるときには、そのときに見つけ出したワンタッチダイアル情報または短縮ダイアル情報にＩＰアドレスとホスト名を格納する（処理２１７）。
【００７７】
次いで、全ての未読メールの処理が終了したかどうかを調べ（判断２１８）、判断２１８の結果がＮＯになるときには、処理２０８に戻り、次の未読メールを選択して同様の処理を実行する。
【００７８】
また、判断２１８の結果がＹＥＳになるときには、所定の電子メール受信間隔時間を待ったのちに（処理２１９）、処理２０１へ戻り、次の電子メール受信動作を行う。
【００７９】
また、選択した未読メールに拡張フィールド「Ｘ−ＦａｘＣａｐａｂｉｌｉｔｉｅｓ」が含まれていない場合で、判断２１０の結果がＮＯになるときには、選択した未読メールの本文情報から画情報を取り出して、元の画像データを作成し（処理２２０）、その画像データをプロッタ６へ転送して、受信原稿を記録出力し（処理２２１）、判断２１８へ移行する。
【００８０】
図１０は、機能通知処理の一例を示している。
【００８１】
まず、上述したような通知用電子メールを作成し（処理３０１）、メールサーバ装置ＳＭのＳＭＴＰサーバへ接続し（処理３０２）、処理３０１で作成した通知用電子メールをＳＭＴＰサーバへ送信する（処理３０３）。電子メールの送信を終了すると、ＳＭＴＰサーバとの接続を終了して（処理３０４）、この処理を終了する。
【００８２】
図１１は、機能通知処理の他の例を示している。
【００８３】
まず、上述した通知用電子メールの本文情報と同様の通知用情報を作成し（処理４０１）、その通知用情報を画情報に変換して保存する（処理４０２）。
【００８４】
次いで、拡張フィールド「Ｘ−ＦａｘＣａｐａｂｉｌｉｔｉｅｓ」で通知されたＩＰアドレスおよびホスト名を適用してＴ．３８発呼処理を実行し（処理４０３）、所定のＴ．３８送信処理を実行して、処理４０２で保存した通知用情報の画情報を送信する（処理４０４）。
【００８５】
送信終了すると、所定のＴ．３８終了処理を実行して（処理４０５）、この機能通知処理を終了する。
【００８６】
図１２は、Ｔ．３８着信時処理の一例を示している。
【００８７】
まず、所定のＴ．３８着信処理を実行し（処理５０１）、所定のＴ．３８受信処理を実行して（処理５０２）、相手端末より受信した画情報を記録出力する。また、このときに相手端末機能情報を受信するので、その機能情報を保存する（処理５０３）。また、受信処理を終了すると、所定のＴ．３８終了処理を実行する（処理５０４）。
【００８８】
次いで、保存した機能情報に含まれるメールアドレスなどが、いずれかのワンタッチダイアル情報または短縮ダイアル情報に登録されているかどうかを調べる（判断５０５）。
【００８９】
登録されている場合で、判断５０５の結果がＹＥＳになるときには、そのときに見つけ出したワンタッチダイアル情報または短縮ダイアル情報にＩＰアドレスとホスト名を格納する（処理５０６）。
【００９０】
また、判断５０５の結果がＮＯになるときには、処理５０６を実行しない。
【００９１】
ところで、上述した実施例では、通知用電子メールを受信した場合でも、その本文情報を記録出力しているが、通知されたＩＰアドレスとホスト名を自動的に格納することができるので、その本文情報の内容を、自端末ユーザへ通知する必要はない。
【００９２】
このようにすることで、無駄な受信紙の消費を抑えることができ、通信コストを低減することができる。
【００９３】
図１３および図１４は、ネットワークファクシミリ装置ＦＸが電子メール受信時に実行する処理の他の例を示している。
【００９４】
まず、メールサーバ装置ＳＭのＰＯＰサーバへ接続し（処理６０１）、自端末宛の未読メールが受信されているかどうかを問い合わせる（処理６０２）。未読メールが受信されていない場合で、判断６０３の結果がＮＯになるときには、ＰＯＰサーバとの接続を終了し（処理６０４）、所定の電子メール受信間隔時間を待ったのちに（処理６０５）、処理６０１へ戻り、次の電子メール受信動作を行う。
【００９５】
また、未読メールが受信されている場合で、判断６０３の結果がＹＥＳになるときには、未読メールを全部受信して取得し（処理６０６）、ＰＯＰサーバとの接続を終了する（処理６０７）。
【００９６】
次いで、受信した未読メールを１つ選択し（処理６０８）、そのヘッダ情報を解析して（処理６０９）、拡張フィールド「Ｘ−ＦａｘＣａｐａｂｉｌｉｔｉｅｓ」が含まれているかどうかを調べる（判断６１０）。
【００９７】
判断６１０の結果がＹＥＳになるときには、相手端末が自端末と同じ機能を備えている場合である。したがって、本文情報を解析して（処理６１１）、画情報が含まれているかどうかを調べ（判断６１２）、判断６１２の結果がＹＥＳになるときには、選択した未読メールの本文情報から画情報を取り出して、元の画像データを作成し（処理６１３）、その画像データをプロッタ６へ転送して、受信原稿を記録出力する（処理６１４）。
【００９８】
一方、受信した画情報が通知用電子メールの場合であり、判断６１２の結果がＮＯになるときには、処理６１３，６１４を実行せず、受信原稿を記録出力しない。
【００９９】
次いで、自端末のＴ．３８通信機能を相手端末へ通知するための機能通知処理を起動して（処理６１５）、そのときの送信元メールアドレスが、いずれかのワンタッチダイアル情報または短縮ダイアル情報に登録されているかどうかを検索して調べる（処理６１６，判断６１７）。
【０１００】
登録されている場合で、判断６１７の結果がＹＥＳになるときには、そのときに見つけ出したワンタッチダイアル情報または短縮ダイアル情報にＩＰアドレスとホスト名を格納する（処理６１８）。
【０１０１】
次いで、全ての未読メールの処理が終了したかどうかを調べ（判断６１９）、判断６１８の結果がＮＯになるときには、処理６０８に戻り、次の未読メールを選択して同様の処理を実行する。
【０１０２】
また、判断６１９の結果がＹＥＳになるときには、所定の電子メール受信間隔時間を待ったのちに（処理６２０）、処理６０１へ戻り、次の電子メール受信動作を行う。
【０１０３】
また、選択した未読メールに拡張フィールド「Ｘ−ＦａｘＣａｐａｂｉｌｉｔｉｅｓ」が含まれていない場合で、判断６１０の結果がＮＯになるときには、選択した未読メールの本文情報から画情報を取り出して、元の画像データを作成し（処理６２１）、その画像データをプロッタ６へ転送して、受信原稿を記録出力し（処理６２２）、判断６１９へ移行する。
【０１０４】
【発明の効果】
以上説明したように、本発明によれば、ネットワークに接続し、そのネットワーク上で電子メールを用いて画情報をやりとりするＴ．３７通信機能と、ネットワークを介し、リアルタイムに画情報をやりとりするＴ．３８通信機能と、ファクシミリ画情報の作成、蓄積、および、記録出力などのファクシミリ装置機能を備えたネットワークファクシミリ装置において、それぞれの宛先について、上記Ｔ．３７通信機能で使用する第１の宛先情報と、上記Ｔ．３８通信機能で使用する第２の宛先情報を登録した宛先情報テーブルを備え、電子メールを用いて情報を送信する際、電子メールのヘッダに、自端末が上記Ｔ．３８通信機能で使用する宛先情報を通知するための所定の拡張フィールドを付加する一方、電子メール受信時、その受信した電子メールのヘッダに、上記拡張フィールドが付加されており、かつ、その受信した電子メールが画情報を運ぶものであるときには、自端末が上記Ｔ．３８通信機能で使用する宛先情報を通知する通知用電子メールを作成し、その通知用電子メールを上記受信した電子メールの送信元へ送信し、上記受信した電子メールのヘッダに、上記拡張フィールドが付加されており、かつ、上記受信した電子メールが画情報を運ぶものではない場合、上記拡張フィールドに含まれている宛先情報を、上記受信した電子メールの送信元の前記第２の宛先情報として、上記宛先情報テーブルに記憶するようにしたので、その電子メールを受信したネットワークファクシミリ装置は、相手端末がＴ．３８通信機能を備えていることを明確に知ることができ、その結果、次の通信からはＴ．３８通信機能を利用した通信を行うことができ、送信ユーザの意図に従った画情報送信を実現することができるという効果を得る。
【０１０６】
また、ネットワークに接続し、そのネットワーク上で電子メールを用いて画情報をやりとりするＴ．３７通信機能と、ネットワークを介し、リアルタイムに画情報をやりとりするＴ．３８通信機能と、ファクシミリ画情報の作成、蓄積、および、記録出力などのファクシミリ装置機能を備えたネットワークファクシミリ装置において、それぞれの宛先について、上記Ｔ．３７通信機能で使用する第１の宛先情報と、上記Ｔ．３８通信機能で使用する第２の宛先情報を登録した宛先情報テーブルを備え、電子メールを用いて情報を送信する際、電子メールのヘッダに、自端末が上記Ｔ．３８通信機能で使用する宛先情報を通知するための所定の拡張フィールドを付加する一方、電子メール受信時、その受信した電子メールのヘッダに、上記拡張フィールドが付加されており、かつ、その受信した電子メールが画情報を運ぶものであるときには、その画情報の受信原稿を記録出力するとともに、自端末が上記Ｔ．３８通信機能で使用する宛先情報を通知する通知用電子メールを作成し、その通知用電子メールを上記受信した電子メールの送信元へ送信し、上記受信した電子メールのヘッダに、上記拡張フィールドが付加されており、かつ、上記受信した電子メールが画情報を運ぶものではない場合、その受信した電子メールの本文情報を記録出力しないとともに、上記拡張フィールドに含まれている宛先情報を、上記受信した電子メールの送信元の前記第２の宛先情報として、上記宛先情報テーブルに記憶するようにしたので、その電子メールを受信したネットワークファクシミリ装置は、相手端末がＴ．３８通信機能を備えていることを明確に知ることができ、その結果、次の通信からはＴ．３８通信機能を利用した通信を行うことができ、送信ユーザの意図に従った画情報送信を実現することができるという効果を得る。また、ユーザが宛先を指定するのみで、Ｔ．３８通信機能を適用したファクシミリ通信を実行することができ、ユーザの負担を軽減することができるという効果も得る。
【０１０７】
また、前記電子メールを用いて送信する情報には、送達確認要求された際に送信する送達確認情報を含むので、より確実に通信機能情報を通知することができる。
【図面の簡単な説明】
【図１】本発明の一実施例にかかるネットワークシステムを示したブロック図。
【図２】ネットワークファクシミリ装置ＦＸの構成例を示したブロック図。
【図３】ファクシミリ画情報を送信する際に用いられる電子メールの一例を示した概略図。
【図４】ワンタッチダイアル情報および短縮ダイアル情報の一例を示した概略図。
【図５】自端末のＴ．３８通信機能に関する情報を通知するための拡張フィールドを含むヘッダ情報の一例を示した概略図。
【図６】通知用電子メールの一例を示した概略図。
【図７】ネットワークファクシミリ装置ＦＸがＴ．３７通信機能を利用して画情報送信するときの処理の一例を示したフローチャート。
【図８】ネットワークファクシミリ装置ＦＸが電子メール受信時に実行する処理の一例を示したフローチャート。
【図９】ネットワークファクシミリ装置ＦＸが電子メール受信時に実行する処理の一例を示したフローチャート（続き）。
【図１０】機能通知処理の一例を示したフローチャート。
【図１１】機能通知処理の他の例を示したフローチャート。
【図１２】Ｔ．３８着信時処理の一例を示したフローチャート。
【図１３】ネットワークファクシミリ装置ＦＸが電子メール受信時に実行する処理の他の例を示したフローチャート。
【図１４】ネットワークファクシミリ装置ＦＸが電子メール受信時に実行する処理の他の例を示したフローチャート（続き）。
【符号の説明】
ＦＸ  ネットワークファクシミリ装置
ＳＭ  メールサーバ装置
１  システム制御部
２  システムメモリ
【図１】
0003884605.tif 000002
【図２】
0003884605.tif 000003
【図３】
0003884605.tif 000004
【図４】
0003884605.tif 000005
【図５】
0003884605.tif 000006
【図６】
0003884605.tif 000007
【図７】
0003884605.tif 000008
【図８】
0003884605.tif 000009
【図９】
0003884605.tif 000010
【図１０】
0003884605.tif 000011
【図１１】
0003884605.tif 000012
【図１２】
0003884605.tif 000013
【図１３】
0003884605.tif 000014
【図１４】
0003884605.tif 000015